(57)【要約】【課題】  一体式蒸気圧力式コーヒーメーカーの提供。【解決手段】  ポット、カバー、電力供給底座を具え、該ポット内部に内容器及び外室が設けられ、並びに内容器上方に濾過容器が取り付けられ、該濾過容器の上端に漏水孔を具えた蓋片が設けられ、且つ濾過容器の底部に濾過孔が設けられ、その中心に連通管が通され、該連通管の下端が内容器底部に進入し、上端が蓋片を貫通し、濾過容器底部に支持フレームが設けられ、ポット底部の加熱装置が電力供給底座に挿入されて電力を取得して加熱可能であり、以上の構造により、操作が簡単で製造コストを減らすことができ、コーヒー或いは水を沸かすのに用いられ、ミルクをホイップすることができ、更に随時再加熱或いは煮沸可能で、多くの実用性と便利性を具えている。【選択図】        図４
0003111793.tif 000002
【実用新案登録請求の範囲】
【請求項１】
ポット、カバー、電力供給底座を具えた一体式蒸気圧力式コーヒーメーカーにおいて、該ポットの内部に内容器と外室が設けられ、ポットの外部の所定位置にノズル、電源指示ランプ及びハンドルが設けられ、且つ所定位置に電源スイッチが設けられ、該電源スイッチが温度制御スイッチと結合され、内容器の上方に濾過容器が取り付けられ、該濾過容器の上端に漏水孔を具えた蓋片が設けられ、濾過容器の底部に濾過孔が設けられ、濾過容器の中心を連通管が貫通し、該連通管の下端が内容器底部に進入し、該連通管の上端が蓋片を貫通し突出し、濾過容器の下方に支持フレームが設けられ、ポットの底部の加熱装置が電力供給底座に挿入されて電力を取得し加熱し、また、カバー内部にスイッチ構造が設けられ、該スイッチ構造がカバー上方に延伸されたノブと封管軸心を具え、該ノブで封管軸心を駆動して上下に移動させられ、封管軸心の下端に封管ゴムリングが設けられて連通管上端の開口を封じることを特徴とする、一体式蒸気圧力式コーヒーメーカー。
【請求項２】
請求項１記載の一体式蒸気圧力式コーヒーメーカーにおいて、温度制御スイッチ内部に過熱保護装置が設けられたことを特徴とする、一体式蒸気圧力式コーヒーメーカー。
【請求項３】
請求項１記載の一体式蒸気圧力式コーヒーメーカーにおいて、内容器の上方の一側の所定位置に安全エアバルブが設けられたことを特徴とする、一体式蒸気圧力式コーヒーメーカー。
【請求項４】
請求項１記載の一体式蒸気圧力式コーヒーメーカーにおいて、内容器の上方に蒸気装置が設置され、該蒸気装置がポット外より操作される蒸気弁と、ポット外に延伸された外接ノズル管を具え、該蒸気弁が内容器上側に取り付けられてそれと外接ノズル管との間が管路で接続されたことを特徴とする、一体式蒸気圧力式コーヒーメーカー。
【請求項５】
請求項１記載の一体式蒸気圧力式コーヒーメーカーにおいて、電力供給底座内部に接続端子と対応する接続シートが取り付けられ、並びに電源線が接続シートに接続され、接続端子が任意の角度から電力供給底座の接続シートに挿入されて電力を獲得できることを特徴とする、一体式蒸気圧力式コーヒーメーカー。
【請求項６】
請求項５記載の一体式蒸気圧力式コーヒーメーカーにおいて、電力供給底座がポットの所定位置に直接固定されたことを特徴とする、一体式蒸気圧力式コーヒーメーカー。
【考案の詳細な説明】
【技術分野】
【０００１】
本考案は一体式蒸気圧力式コーヒーメーカーに係り、特に構造が簡易化され、体積が縮小され、製造コストが減らされただけでなく、操作が簡単で便利である長所を具えた一体式蒸気圧力式コーヒーメーカーに関する。
【背景技術】
【０００２】
コーヒーメーカーに使用される基本原則は、熱湯を用い、研磨済みのコーヒー豆中の天然の必要な油分及びコーヒー成分を抽出し、独特の香りと味を発生させることにある。現在手動で煮るコーヒーの多くは濾過法が最も多く採用されている方法であり、それによると、研磨済みのコーヒーを紙製のコーヒーフィルターに入れるか、重複使用可能な円錐形容器に入れ、熱湯を上から注ぎ成分を抽出し、更に抽出されたコーヒーをカップに注いで飲むことができる。抽出後のコーヒー粉は続けて円錐形の濾過容器内に残留する。現代人は効率を求めて、コーヒーメーカーにより濾過法を行ない、それはコーヒー豆或いは研磨済のコーヒー粉を投入すれば、自動的に、水の加熱を含む全てのコーヒーを入れる動作が完成し、手動でコーヒーを入れるよりもよい品質のコーヒーを入れることができる。図１に示されるように、このようなコーヒーメーカーの構造は複雑で、複数の独立した分離部品で恒星され、それは加熱用の熱水器ａ、熱水器ａの出水端に取り付けられた濾過容器ｂ、及び液体コーヒーを収容するための容器ｃを具えている。その使用時には、熱水器ａ中に未沸騰の水が入れられ、並びにコーヒー豆或いは研磨済みのコーヒー粉が濾過容器ｂ内に入れられ、熱水器ａを利用して水を沸騰させ、熱水器ａ内の水蒸気圧力により沸騰した水を輸送チャネル内に圧入し、輸送チャネルを通して沸騰水を濾過容器ｂ内に送り、濾過容器ｂ内の固体コーヒー粉を浸漬させ、並びに液体のコーヒーを濾過容器ｂを通過させ容器ｃ中に流入させる。
【考案の開示】
【考案が解決しようとする課題】
【０００３】
上述の周知のコーヒーメーカーは使用に相当に便利ではあるが、コーヒーを入れる単一の用途しかなく、並びに電気ポットとしての使用には適合しない。このため蒸気を利用して沸騰水が一回で全部圧出され、出水量の制御が行なえず、抽出されるコーヒーも再加熱不能であり、機体が大きく且つ重く、また把手の設計がなく、移動に困難であり、ゆえに電気ポットとしての使用に不適合である。さらに製造コストが高く、場所をとり、ゆえに改善の必要がある。
【０００４】
本考案の主要な目的は、操作が簡単で、安全で、迅速に行なえ、その体積がコンパクトで、電源線不要で、片手で移動できる構造を有し、任意に必要なコーヒー量を入れることができ、随時加熱或いは再沸騰可能で、製造コストが低く、且つ水の沸騰の機能を有する一体式蒸気圧力式コーヒーメーカーを提供し、使用者にコーヒーを簡単に入れさせ、一台で多用途を有して空間と金銭を節約させるようにすることにある。
【０００５】
本考案の次の目的は、蒸気装置を提供し、それはミルクをホイップでき、カプチーノコーヒーを入れるのに便利で、これにより、コーヒーを入れる時の選択性と楽しみを増すことにある。
【０００６】
上述の目的を達成するため、本考案は一種の一体式蒸気圧力式コーヒーメーカーを提供し、それは、ポット、カバー、電力供給底座を具え、該ポットの外部にノズル、電源指示ランンプ及びハンドルが設けられている。本考案には電源スイッチが設けられ、該電源スイッチは温度制御スイッチと接合され、且つポット内部に内容器と外室が設けられ、内容器の上方に濾過容器が取り付けられ、該濾過容器の上端に漏水孔を具えた蓋片が設けられ、濾過容器の底部に濾過孔が設けられ、その中心を連通管が貫通し、該連通管の下端が内容器底部に進入し、上端が蓋片を貫通し突出し、並びに濾過容器の下方に支持フレームが設けられ、且つ内容器と外室底部が接合され共用ポット底とされ、並びにポット底下方に加熱装置が取り付けられ、該加熱装置は一組の温度制御スイッチにより電源制御され、その温度制御スイッチは並びに過熱保護装置を具え、並びにポットが電力供給底座に挿入され電源を獲得し、カバー内部にスイッチ構造が設けられ、その底部が封管軸心を駆動し、該封管軸心が連通管の上端の開口と封じるのに用いられる。このほか、内容器上方に蒸気装置が設けられ、該蒸気装置はポット外より操作される蒸気弁とポット外に延伸された外接ノズル管を具え、該蒸気弁が内容器上側に取り付けられ、並びに管で外接ノズル管に接続され、内容器上方の別側に安全エアバルブが設けられ、これにより内容器圧力が過高の時に過量の蒸気を釈放して減圧し、爆発を防止できる。
【０００７】
上述の構造により、コーヒーを入れる時、内容器中に適当な水量を入れ、濾過容器内にコーヒー粉を入れ並びに蓋片を閉じ、カバーをポット上方開口に螺合して濾過容器の上端を封じ、且つ支持フレーム下端を内容器上方開口のゴムリングに圧接させて気密を達成し、安全エアバルブを閉じた後、ポットを電力供給底座に設置して電源を取得して加熱させる。この時、内容器中の沸騰後の水は蒸気に圧出され、連通管を通り蓋片に至り、蓋片の漏水孔を通り、並びに濾過容器内のコーヒー粉を流れ、コーヒーを浸漬させる。さらに底部の濾過孔より外室内に流入させ、コーヒーを沸騰させ、その発生する大量の蒸気で温度制御スイッチをオフして自動的に回路を切断し、同時に電源スイッチをオフの位置に押す。且つ外室に進入したコーヒーは内容器と外室がポット底を共有することにより、続けて加熱されて再度沸騰し蒸気を発生し、この時、温度制御スイッチが温度の沸騰温度到達を監視して回路を切断し、同時に電源スイッチをオフの位置に押す。外室に保存されたコーヒーは随時直接注がれて使用されるか、電源スイッチがオンの位置に押されることで加熱され再沸騰する。以上から分かるように、沸騰時の自動電力切断のみならず、電源スイッチを直接オフの位置に押しても電力を切断でき、このような多重の安全装置によりポット内部の沸騰水とホットコーヒーを長時間保存する時の危険の発生が防止される。このほか、濾過容器内に茶葉を入れて茶を入れることもでき、単純に湯を沸かしたい時は、暫時濾過容器、連通管、蓋片及び支持フレームを取り外し、且つ内容器と外室に同時に水を入れて水量を増すことができ、水が沸騰する時は自動的に電力が切断される。これによりポット内に保存される液体が、コーヒー、茶、或いは水のいずれであっても、いずれも随時再加熱或いは再沸騰可能で、且つ片手で本考案の一体式蒸気圧力式コーヒーメーカーを保持して水を注ぐか或いは洗浄する動作を行なえ、操作が非常に簡単で、使用に非常に便利である。一般にカプチーノコーヒーを入れるときは、先に出てミルクをホイップしてコーヒーに注ぐ必要があるが、本考案の蒸気装置を利用すれば、簡単にホイップ状のミルクを形成できる。それは、先ずカバー開閉構造を閉じ、封管軸心を下方に押し、上方の封管ゴムリングで連通管上端開口を封じ、内容器中の煮沸後の水と派生する蒸気を内容器中に保存し、内容器の高圧蒸気温度が設定温度まで上昇する時、温度制御スイッチ内部の過熱保護装置が自動的に暫時電源を切断し、温度がもう一つの設定温度まで下がれば再び回路を自動的に接続し、ゆえに内容器中の沸騰水と蒸気を長時間ある温度と圧力内に維持でき、このとき、蒸気弁を開けば、内容器内部に保存された蒸気が外接ノズル管より噴出し、この高圧蒸気でミルクをホイップでき、使用に相当に便利であり、且つコーヒーを入れる時の選択性と楽しみを増す。万一過熱保護装置が働かない時、加熱装置が不断に加熱され、内容器中の沸騰水と蒸気の温度と圧力がいずれも続けて上昇するが、ある設定値まで上昇すると、内容器上方の安全エアバルブが自動開放され、並びに適量の蒸気を釈放し爆発を防止する。
【課題を解決するための手段】
【０００８】
請求項１の考案は、ポット、カバー、電力供給底座を具えた一体式蒸気圧力式コーヒーメーカーにおいて、該ポットの内部に内容器と外室が設けられ、ポットの外部の所定位置にノズル、電源指示ランプ及びハンドルが設けられ、且つ所定位置に電源スイッチが設けられ、該電源スイッチが温度制御スイッチと結合され、内容器の上方に濾過容器が取り付けられ、該濾過容器の上端に漏水孔を具えた蓋片が設けられ、濾過容器の底部に濾過孔が設けられ、濾過容器の中心を連通管が貫通し、該連通管の下端が内容器底部に進入し、該連通管の上端が蓋片を貫通し突出し、濾過容器の下方に支持フレームが設けられ、ポットの底部の加熱装置が電力供給底座に挿入されて電力を取得し加熱し、また、カバー内部にスイッチ構造が設けられ、該スイッチ構造がカバー上方に延伸されたノブと封管軸心を具え、該ノブで封管軸心を駆動して上下に移動させられ、封管軸心の下端に封管ゴムリングが設けられて連通管上端の開口を封じることを特徴とする、一体式蒸気圧力式コーヒーメーカーとしている。
請求項２の考案は、請求項１記載の一体式蒸気圧力式コーヒーメーカーにおいて、温度制御スイッチ内部に過熱保護装置が設けられたことを特徴とする、一体式蒸気圧力式コーヒーメーカーとしている。
請求項３の考案は、請求項１記載の一体式蒸気圧力式コーヒーメーカーにおいて、内容器の上方の一側の所定位置に安全エアバルブが設けられたことを特徴とする、一体式蒸気圧力式コーヒーメーカーとしている。
請求項４の考案は、請求項１記載の一体式蒸気圧力式コーヒーメーカーにおいて、内容器の上方に蒸気装置が設置され、該蒸気装置がポット外より操作される蒸気弁と、ポット外に延伸された外接ノズル管を具え、該蒸気弁が内容器上側に取り付けられてそれと外接ノズル管との間が管路で接続されたことを特徴とする、一体式蒸気圧力式コーヒーメーカーとしている。
請求項５の考案は、請求項１記載の一体式蒸気圧力式コーヒーメーカーにおいて、電力供給底座内部に接続端子と対応する接続シートが取り付けられ、並びに電源線が接続シートに接続され、接続端子が任意の角度から電力供給底座の接続シートに挿入されて電力を獲得できることを特徴とする、一体式蒸気圧力式コーヒーメーカーとしている。
請求項６の考案は、請求項５記載の一体式蒸気圧力式コーヒーメーカーにおいて、電力供給底座がポットの所定位置に直接固定されたことを特徴とする、一体式蒸気圧力式コーヒーメーカーとしている。
【考案の効果】
【０００９】
総合すると、本考案の一体式蒸気圧力式コーヒーメーカーは、十分にポット内部の空間を利用し、内容器、濾過容器及び蒸気装置が取り付けられて、構造が簡易化され体積が縮小され、確実に製造コストを減らす効果を達成し、且つこの構造は操作が簡単で、便利であり、さらにコーヒーを入れる時の選択性と楽しみを増し、ゆえに本考案は実用性と進歩性、及び新規性を具えた考案である。
【考案を実施するための最良の形態】
【００１０】
図２、３、４に示されるように、本考案の一体式蒸気圧力式コーヒーメーカーは、ポット１０、カバー２０、及び電力供給底座３０を具えている。
【００１１】
該ポット１０は、その外部の所定位置にノズル１１、電源指示ランプ１２及びハンドル１３が設けられ、且つ本考案の所定の位置に電源スイッチ１４が設けられ、該電源スイッチ１４は温度制御スイッチ１５と結合され、該温度制御スイッチ１５は過熱保護装置１５ａを具えている。ポット１０内部にはステンレス材質で形成された内容器１６が設けられ、並びにポット１０及び内容器１６の間に外室１７が形成されている。内容器１６の上方に濾過容器１８が取り付けられて、コーヒー粉或いは茶葉を入れるのに供され、該濾過容器１８の上端に漏水孔１８ａ１を具えた蓋片１８ａが設けられ、漏水孔１８ａ１の底部に濾過孔１８ｂが設けられ、その中心を連通管１８ｃが貫通し、該連通管１８ｃの下端は内容器１６内部に進入し、上端は蓋片１８ａを貫通して突出する。濾過容器１８下方に支持フレーム１８ｄが設けられ、該支持フレーム１８ｄの下端はスピーカ状を呈して内容器１６上方開口辺縁のゴムリング１６ａを平らに圧し、且つ内容器１６と外室１７の底板は結合されて共用ポット底とされ、そのポット底下方に加熱装置１９と接続端子１９ａが取り付けられている。ノズル１１に濾過網１１ａが設置されている。このほか、内容器１６上方の別側に安全エアバルブ１６ｂが設置され、内容器１６の圧力が過高となった時に速やかに過量の蒸気を釈放して減圧し爆発の危険を防止する。
【００１２】
該カバー２０は、その内部にスイッチ構造２１を具え、該スイッチ構造２１はカバー２０上方に延伸されたノブ２１ａと封管軸心２１ｂを具え、ノブ２１ａは封管軸心２１ｂを駆動して上下移動させられ、並びに封管軸心２１ｂの下端の所定位置に封管ゴムリング２１ｂ１があり、連通管１８ｃの上端の開口を封鎖するのに供される。
【００１３】
該電力供給底座３０に、前述の接続端子１９ａに対応する接続シート３１が取り付けられ、並びに電源線３２が接続シート３１に接続され、接続端子１９ａと接続シート３１の接続により電力が取得され、且つ電力供給底座３０は直接ポット１０の所定位置に固定される方式で形成されるか、或いはポットとシートが分離式に形成され、ポット１０の接続シート３１がどの角度からでも電力供給底座３０の接続シート３１に挿入されて電力を獲得できるものとされる。
【００１４】
このほか、内容器１６の上方に蒸気装置４０が設置され、該蒸気装置４０はポット１０外より操作される蒸気弁４１、及びポット１０外に延伸された外接ノズル管４２を具え、そのうち、蒸気弁４１は内容器１６上側に取り付けられ、それと外接ノズル管４２の間が管路で接続される。
【図面の簡単な説明】
【００１５】
【図１】周知の技術の立体構造図である。
【図２】本考案の立体分解図である。
【図３】本考案の組合せ表示図である。
【図４】図３の断面図である。
【符号の説明】
【００１６】
１０  ポット              ２０  カバー
３０  電力供給底座        ４０  蒸気装置
１１  ノズル              １１ａ  濾過網
１２  電源指示ランプ      １３  ハンドル
１４  電源スイッチ        １５  温度制御スイッチ
１５ａ  過熱保護装置      １６  内容器
１７  外室                １８  濾過容器
１８ａ  蓋片              １８ａ１  漏水孔
１８ｂ  濾過孔            １８ｃ  連通管
１８ｄ  支持フレーム      １９  加熱装置
１９ａ  接続端子          ２１  スイッチ構造
２１ａ  ノブ              ２１ｂ  封管軸心
２１ｂ１  封管ゴムリング  ３１  接続シート
３２  電源線              ４１  蒸気弁
４２  外接ノズル管
【図１】
0003111793.tif 000003
【図２】
0003111793.tif 000004
【図３】
0003111793.tif 000005
【図４】
0003111793.tif 000006